(57)【要約】【課題】照明システムの点灯態様の設定を簡易に行うことができる照明システム及び照明システムの設定方法を提供する。【解決手段】照明システム１は、仮想の複数の第１照明器具を配置し、複数の第１照明器具の点灯態様を仮想的に模擬し、複数の第１照明器具の点灯態様を示す点灯情報と、点灯情報に紐付けられ、複数の第１照明器具を特定するＤＭＸアドレスとを生成する第１情報処理装置５０の情報を利用する。照明システム１は、現実の施設内に配置される複数の第２照明器具３０と、複数の第２照明器具３０を所定の点灯態様で点灯させる制御を行う操作卓とを備える。そして、操作卓は、点灯情報及びＤＭＸアドレスと、複数の第２照明器具３０を特定するユニークＩＤとを取得し、さらに、ＤＭＸアドレスと、ユニークＩＤとが紐付けられた設定情報を取得する。【選択図】図１
2020047508.tif 000002
【特許請求の範囲】
【請求項１】
仮想の複数の第１照明器具を配置し、前記複数の第１照明器具の点灯態様を仮想的に模擬し、前記複数の第１照明器具の点灯態様を示す点灯情報と、前記点灯情報に紐付けられ、前記複数の第１照明器具を特定する第１アドレス情報とを生成する第１情報処理装置の情報を利用する照明システムであって、
現実の施設内に配置される複数の第２照明器具と、
前記複数の第２照明器具を所定の点灯態様で点灯させる制御を行う操作卓とを備え、
前記操作卓は、
前記点灯情報及び前記第１アドレス情報と、前記複数の第２照明器具を特定する第２アドレス情報とを取得し、
さらに、前記第１アドレス情報と、前記第２アドレス情報とが紐付けられた設定情報を取得する
照明システム。
【請求項２】
前記設定情報は、前記複数の第１照明器具と前記複数の第２照明器具とが一対一で対応するように、ユーザの入力によって前記第１アドレス情報と前記第２アドレス情報とが紐付けられる
請求項１に記載の照明システム。
【請求項３】
さらに、前記照明システムには、第２情報処理装置が備えられており、
前記複数の第２照明器具には、前記設定情報を生成する前記第２情報処理装置が接続され、
前記第２情報処理装置は、前記複数の第２照明器具に対して、前記第１アドレス情報と前記第２アドレス情報とが紐付けられる際に、ＲＤＭ（Ｒｅｍｏｔｅ  Ｄｅｖｉｃｅ  Ｍａｎａｇｅｍｅｎｔ）プロトコルを用いて前記複数の第２照明器具と通信し、
前記操作卓は、前記設定情報に基づいて前記複数の第２照明器具を点灯させる制御を行う際に、ＤＭＸ（Ｄｉｇｉｔａｌ  Ｍｕｌｔｉｐｌｅｘ  Ｓｙｓｔｅｍ）プロトコルを用いて前記複数の第２照明器具と通信する
請求項１又は２に記載の照明システム。
【請求項４】
前記操作卓は、前記複数の第１照明器具が仮想的な点灯態様で点灯するように、前記設定情報に基づいて前記複数の第２照明器具を点灯させる制御を行う
請求項１〜３のいずれか１項に記載の照明システム。
【請求項５】
前記照明システムには、表示部が接続され、
前記表示部は、前記第１アドレス情報と、前記第２アドレス情報とを紐付けるための設定画像を表示する
請求項１〜４のいずれか１項に記載の照明システム。
【請求項６】
さらに、前記第１情報処理装置を備える
請求項１〜５のいずれか１項に記載の照明システム。
【請求項７】
画面に仮想の複数の第１照明器具を配置し、前記複数の第１照明器具の点灯態様を仮想的に模擬する第１情報処理装置と、
現実の施設内に配置される複数の第２照明器具と、
前記複数の第２照明器具を所定の点灯態様で点灯させる制御を行う操作卓とを備え、
前記第１情報処理装置は、前記複数の第１照明器具の点灯態様を示す点灯情報と、前記点灯情報に紐付けられ、前記複数の第１照明器具を特定する第１アドレス情報とを取得し、
前記操作卓は、
前記点灯情報及び前記第１アドレス情報を前記第１情報処理装置から取得し、前記複数の第２照明器具を特定する第２アドレス情報を前記第２照明器具から取得し、
さらに、前記第１アドレス情報と、前記第２アドレス情報とが紐付けられた設定情報を当該操作卓に対する操作に従って取得する
照明システム。
【請求項８】
さらに、前記複数の第２照明器具には、前記設定情報を生成する第２情報処理装置が接続され、
前記第２情報処理装置は、前記複数の第２照明器具に対して、前記第１アドレス情報と前記第２アドレス情報とが紐付けられる際に、ＲＤＭ（Ｒｅｍｏｔｅ  Ｄｅｖｉｃｅ  Ｍａｎａｇｅｍｅｎｔ）プロトコルを用いて前記複数の第２照明器具と通信し、
前記操作卓は、前記設定情報に基づいて前記複数の第２照明器具を点灯させる制御を行う際に、ＤＭＸ（Ｄｉｇｉｔａｌ  Ｍｕｌｔｉｐｌｅｘ  Ｓｙｓｔｅｍ）プロトコルを用いて前記複数の第２照明器具と通信する
請求項７に記載の照明システム。
【請求項９】
さらに、第２情報処理装置を備える
請求項７又は８に記載の照明システム。
【請求項１０】
仮想の複数の第１照明器具を配置し、前記複数の第１照明器具の点灯態様を仮想的に模擬し、前記複数の第１照明器具の点灯態様を示す点灯情報と、前記点灯情報に紐付けられ、前記複数の第１照明器具を特定する第１アドレス情報とを生成する第１情報処理装置の情報を利用することと、
現実の施設内に配置される複数の第２照明器具を所定の点灯態様で点灯させる制御を行うことと、
前記点灯情報及び前記第１アドレス情報と、前記複数の第２照明器具を特定する第２アドレス情報とを取得することと、
さらに、前記前記第１アドレス情報と、前記第２アドレス情報とが紐付けられた設定情報を取得することとを含む
照明システムの設定方法。
【発明の詳細な説明】
【技術分野】
【０００１】
本開示は、照明システム及び照明システムの設定方法に関する。
【背景技術】
【０００２】
スタジオ、舞台等では、複数の照明器具を制御する操作卓が設置されている。操作卓は、ＤＭＸ（Ｄｉｇｉｔａｌ  Ｍｕｌｔｉｐｌｅｘ  Ｓｙｓｔｅｍ）と呼ばれる規格に沿って、スタジオ、舞台等に設置されている複数の照明器具の調光制御及び調色制御を行う。
【０００３】
従来では、例えば、照明器具の情報を記憶する記憶部と、記憶部が記憶する情報のうち、設置された照明器具の情報を特定する特定部と、特定部により特定された情報を表示する表示部とを備える操作卓が開示されている（特許文献１参照）。
【先行技術文献】
【特許文献】
【０００４】
【特許文献１】特開２００１−１２６８８１号公報
【発明の概要】
【発明が解決しようとする課題】
【０００５】
ところで、実際の複数の照明器具の点灯態様を設定する場合、複数の照明器具に対するＤＭＸアドレスの設定を１つずつ行う作業を、スタジオ、舞台等の現場で行う。つまり、現場で各々の照明器具に対するＤＭＸアドレスの設定を行わないと、操作卓が各々の照明器具を所望の点灯態様で点灯させることが困難である。このため、各々の照明器具に紐付けられたＤＭＸアドレスがどれかを確認しながら１つずつ設定を行うこととなり、点灯シーンの設定に時間及び手間が掛かってしまう。
【０００６】
そこで、本開示は、照明システムの点灯態様の設定を簡易に行うことができる照明システム及び照明システムの設定方法を提供することを目的とする。
【課題を解決するための手段】
【０００７】
本開示の一態様に係る照明システムは、仮想の複数の第１照明器具を配置し、前記複数の第１照明器具の点灯態様を仮想的に模擬し、前記複数の第１照明器具の点灯態様を示す点灯情報と、前記点灯情報に紐付けられ、前記複数の第１照明器具を特定する第１アドレス情報とを生成する第１情報処理装置の情報を利用する照明システムであって、現実の施設内に配置される複数の第２照明器具と、前記複数の第２照明器具を所定の点灯態様で点灯させる制御を行う操作卓とを備え、前記操作卓は、前記点灯情報及び前記第１アドレス情報と、前記複数の第２照明器具を特定する第２アドレス情報とを取得し、さらに、前記第１アドレス情報と、前記第２アドレス情報とが紐付けられた設定情報を取得する。
【０００８】
また、本開示の一態様に係る照明システムの設定方法は、仮想の複数の第１照明器具を配置し、前記複数の第１照明器具の点灯態様を仮想的に模擬し、前記複数の第１照明器具の点灯態様を示す点灯情報と、前記点灯情報に紐付けられ、前記複数の第１照明器具を特定する第１アドレス情報とを生成する第１情報処理装置の情報を利用することと、現実の施設内に配置される複数の第２照明器具を所定の点灯態様で点灯させる制御を行うことと、前記点灯情報及び前記第１アドレス情報と、前記複数の第２照明器具を特定する第２アドレス情報とを取得することと、さらに、前記前記第１アドレス情報と、前記第２アドレス情報とが紐付けられた設定情報を取得することとを含む。
【発明の効果】
【０００９】
本開示の照明システム及び照明システムの設定方法では、照明システムの点灯態様の設定を簡易に行うことができる。
【図面の簡単な説明】
【００１０】
【図１】図１は、実施の形態に係り、第１操作卓と第１情報処理装置とを例示し、かつ、第２操作卓と第２情報処理装置と複数の第２照明器具とを例示するブロック図である。
【図２】図２は、実施の形態に係り、第１情報処理装置の表示部の設定画面を例示する模式図である。
【図３】図３は、実施の形態に係り、第１情報処理装置によって設定された複数の第１照明器具の点灯情報を例示する図である。
【図４】図４は、実施の形態に係り、照明システムの設定方法を例示するフローチャートである。
【図５Ａ】図５Ａは、実施の形態に係り、第２情報処理装置が複数の第２照明器具から取得した各々のユニークＩＤと、複数の第１照明器具のＤＭＸアドレスとを例示する図である。
【図５Ｂ】図５Ｂは、実施の形態に係り、第２情報処理装置の表示部の設定画面を例示する模式図である。
【発明を実施するための形態】
【００１１】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本開示の実施の形態に係る照明システム及び照明システムの設定方法について説明する。
【００１４】
（実施の形態）
［構成］
まず、本実施の形態に係る照明システム１の構成について説明する。
【００１５】
図１は、実施の形態に係り、第１操作卓４０と第１情報処理装置５０とを例示し、かつ、第２操作卓１０と第２情報処理装置２０と複数の第２照明器具３０とを例示するブロック図である。
【００１６】
図１に示すように、この照明システム１は、スタジオ、舞台等を演出するために、スタジオ、舞台等に設置されている複数の照明器具を所望の点灯態様で点灯させる設定に従って制御を行う。照明システム１では、仮想的な複数の第１照明器具の点灯態様を示す点灯情報を予め生成しておく。照明システム１は、予め生成した点灯情報をスタジオ、舞台等に設置される操作卓に導入することで、複数の第２照明器具３０に対して所定の点灯態様で点灯するような演出照明を行う。
【００１７】
ここで点灯態様は、複数の照明器具（以下、第１照明器具及び第２照明器具３０の総称である）の点灯時における、光の明るさ、光の色合い、光の鮮やかさ等の組み合わせ、所定期間ごとの点灯及び消灯の繰り返しといった、複数の照明器具が一体的に演出する照明の有様である。
【００１８】
照明システム１は、第１操作卓４０が接続された第１情報処理装置５０と第１操作卓４０を用いて複数の第２照明器具３０に対して所定の点灯態様で点灯するような設定を行う。
【００１９】
第１情報処理装置５０は、例えばパーソナルコンピュータ等である。第１情報処理装置５０は、双方向通信が可能なＤＭＸ５１２といったＤＭＸプロトコルによって、通信ケーブルを介して第１操作卓４０と接続される。第１情報処理装置５０は、情報処理装置の一例である。
【００２０】
第１情報処理装置５０に表示される画像について、図２を用いて説明する。図２は、実施の形態に係り、第１情報処理装置５０の表示部５３に表示した設定画面を例示する模式図である。
【００２１】
図２に示すように、第１情報処理装置５０は、ソフトウェアを用いて仮想の複数の第１照明器具１ａ〜４ａを配置し、複数の第１照明器具１ａ〜４ａの点灯態様を仮想的に模擬する。つまり、第１情報処理装置５０には、ユーザの操作によって仮想的に複数の第１照明器具１ａ〜４ａを配置し、配置した複数の第１照明器具１ａ〜４ａの点灯態様を仮想的に模擬した画像を生成し、生成した画像を表示部５３に表示することができるソフトウェアが第１情報処理装置５０の記憶装置にインストールされている。つまり、ソフトウェアは、複数の第１照明器具１ａ〜４ａの点灯態様をシミュレーションすることができる。なお、ユーザは、導入先の施設に設置されている複数の第２照明器具３０の種類、個数及び配置位置を予め知っているため、仮想の複数の第１照明器具１ａ〜４ａを配置することができる。なお、画像は、静止画像だけでなく動画像も含む。
【００２２】
本実施の形態では、第１情報処理装置５０は、スタジオ、舞台等とは異なる場所に設置される。ユーザが第１操作卓４０を操作することで、操作に応じて、複数の第１照明器具１ａ〜４ａの点灯態様を仮想的に模擬した画像を生成し、生成した画像を表示部５３に表示する。
【００２３】
具体的には、図２及び図３に示すように、ユーザは、第１情報処理装置５０を操作して複数の第１照明器具１ａ〜４ａを仮想的に配置し、第１操作卓４０を操作することで、各々の第１照明器具１ａ〜４ａの点灯態様（図３）を設定する。こうして、第１情報処理装置５０は、ユーザによる第１操作卓４０の操作に応じて、表示部５３に表示した画像が示す点灯態様を実現できる点灯情報を取得する。例えば、ユーザは、表示部５３に表示される画像を確認しながら第１操作卓４０を操作し、所望の点灯態様となる画像が表示されれば、第１操作卓４０を操作した設定を保存する。これにより、第１情報処理装置５０は、点灯情報を取得する。なお、点灯情報は、第１操作卓４０が生成してもよく、第１情報処理装置５０が生成してもよい。図３は、実施の形態に係り、第１情報処理装置５０によって設定された複数の第１照明器具の点灯情報を例示する図である。
【００２４】
図１に示すように、また、表示部５３は、例えば第１情報処理装置５０に接続されたモニタである。第１照明器具はソフトウェアが表示部５３に表示させる仮想上の照明器具であり、種々の照明器具が第１照明器具として第１情報処理装置５０の記憶装置に格納される。
【００２５】
第１操作卓４０は、第１情報処理装置５０にインストールされているソフトウェアが表示する複数の第１照明器具の点灯態様を設定する際に用いられる。第１操作卓４０は、フェーダと呼ばれる入力デバイスを複数備える。複数のフェーダの操作位置が、赤色光、緑色光及び青色光といった各光の明るさ、及び、鮮やかさにそれぞれ対応する。第１操作卓４０は、ユーザに操作される各フェーダの操作位置に基づき、赤色光、緑色光及び青色光といった各光の出力値（点灯情報）を生成し、生成した点灯情報を第１情報処理装置５０に伝送する。
【００２６】
ここで、照明システム１の構成について説明する。照明システム１は、複数の第２照明器具３０と、第２操作卓１０とを備える。
【００２７】
複数の第２照明器具３０は、スタジオ、舞台等の現実の施設内に配置される。複数の第２照明器具３０は、双方向通信が可能なＤＭＸ５１２等のＤＭＸプロトコルによって、通信ケーブル及びスイッチングハブ６０を介して第２操作卓１０と接続される。
【００２８】
各々の第２照明器具３０は、明るさ、色合い、鮮やかさ等を調整した光を出射することが可能である。例えば、第２照明器具３０は、赤色ＬＥＤ、緑色ＬＥＤ及び青色ＬＥＤで構成されたそれぞれの光源を備える。第２照明器具３０は、赤色ＬＥＤ、緑色ＬＥＤ及び青色ＬＥＤの光出力の比が制御回路によって調整されることで、色度図で示される光を発することができる。
【００２９】
なお、第２照明器具３０は、第２照明器具３０が備える光源の光出力が、調光回路及び調色回路によって制御されることで、調光率を変化させて調光した光を出射したり、調色率を変化させて調色した光を出射したりすることもできる。例えば、第２照明器具３０は、青色ＬＥＤ及び黄色蛍光体で構成された色温度の異なる光源を複数備え、それぞれの光源の光出力の比が調色回路に制御されることで、出力する光の色温度を変化させて調色することもできる。
【００３０】
第２操作卓１０は、点灯情報に基づいて生成された設定情報を取得する。設定情報の取得については後述する。第２操作卓１０は、複数の第１照明器具が仮想的な点灯態様で点灯するように、設定情報で示される制御コマンドに基づいて、複数の第２照明器具３０を所定の点灯態様で点灯させる制御を行う。第２操作卓１０は、ＤＭＸ５１２等の規格化されたＤＭＸプロトコルの制御コマンドを、通信ケーブルを介して複数の第２照明器具３０に伝送する。複数の第２照明器具３０は、第２操作卓１０から伝送される制御コマンドを制御回路で受け取り、制御回路によって光源が出射する光を制御することができる。第２操作卓１０は、第１操作卓４０と同様に、フェーダと呼ばれる入力デバイスを複数備える。第２操作卓１０は、操作卓の一例である。
【００３１】
［動作］
次に、照明システム１及び照明システム１の設定方法の動作について説明する。
【００３２】
図４は、実施の形態に係り、照明システム１の設定方法を例示するフローチャートである。
【００３３】
図４に示すように、まず、ユーザは、第１操作卓４０と第１情報処理装置５０とを操作し、複数の第１照明器具の点灯態様を示す点灯情報を生成する。具体的には、図２に示すように、ユーザは、点灯情報を導入する導入先の施設における、複数の第２照明器具３０の種類、個数及び配置位置を模倣するように、第１情報処理装置５０を操作して、仮想の複数の第１照明器具１ａ〜４ａを設定する（Ｓ１１）。
【００３４】
ここで、施設に配置される複数の第２照明器具３０に対する各々のＤＭＸアドレスは、変更されることがあり得るため、通常、ユーザが知り得ない環境にある。このため、各々の第１照明装置１ａ〜４ａに対応する仮のＤＭＸアドレスを割り振っておく。ＤＭＸアドレスは、第１アドレス情報の一例である。
【００３５】
本実施の形態では、複数の第１照明装置１ａ〜４ａにはＤＭＸアドレス１〜４が一対一で対応するように、それぞれ振り分けられる。ＤＭＸアドレスは、１つの第１照明装置を特定する情報であり、第１操作卓４０が第１照明器具を制御する際に用いる制御アドレスである。
【００３６】
次に、図４に示すように、ユーザは、第１情報処理装置５０の表示部５３に表示される画像（複数の第１照明器具１ａ〜４ａの点灯態様を仮想的に模擬した画像）を見ながら、第１操作卓４０を操作して各々の第１照明器具の点灯態様を設定する。こうして、ユーザは全ての第１照明器具を設定することで、第１情報処理装置５０は、複数の第１照明器具の点灯態様を示す点灯情報と、点灯情報に紐付けられ、複数の第１照明器具を特定する各々のＤＭＸアドレスとを取得する（Ｓ１２）。複数の第１照明器具の点灯情報と複数のＤＭＸアドレスとが一対一で対応する。
【００３７】
例えば、図３は、各々の第１照明器具ごとに光の色温度及び明るさ等を設定したテーブルである。図３では、点灯態様を示す点灯情報と各々の第１照明器具とが紐付けられている。なお、図示はしていないが、点灯情報には、各々の第１照明器具ごとに点灯する時間を示す情報、消灯する時間を示す情報等も含まれてもよい。
【００３８】
次に、ユーザは、第１情報処理装置５０が取得したＤＭＸアドレス及び点灯情報のテーブル（第１情報処理装置の情報の一例）を、導入先の施設にある第２情報処理装置２０に入力（コピー）させる（Ｓ１３）。例えば、ユーザがＵＳＢメモリ等の記憶媒体にＤＭＸアドレス及び点灯情報のテーブル（第１情報処理装置の情報）を保存して、ＤＭＸアドレス及び点灯情報のテーブルを第２情報処理装置２０まで移動させることで、ＤＭＸアドレス及び点灯情報のテーブルが第２情報処理装置２０の記憶装置に格納される。
【００３９】
第２情報処理装置２０は、ＲＤＭ（Ｒｅｍｏｔｅ  Ｄｅｖｉｃｅ  Ｍａｎａｇｅｍｅｎｔ）のＲＤＭプロトコルによって、通信ケーブル及びスイッチングハブ６０を介して複数の第２照明器具３０に接続される。図５Ａの左図に示すように、第２情報処理装置２０は、複数の第２照明器具３０から、複数の第２照明器具３０の各々のユニークＩＤ（ＵＩＤともいう）を取得する（Ｓ１４）。ここで、点灯情報に紐付けられたＤＭＸアドレスは、複数の第２照明器具３０の各々のユニークＩＤと紐付けられていないため、このままの点灯情報では、第２操作卓１０は複数の第２照明器具３０を制御することができない。ユニークＩＤは、第２アドレス情報の一例である。図５Ａは、実施の形態に係り、第２情報処理装置２０が複数の第２照明器具３０から取得した各々のユニークＩＤと、複数の第１照明器具に対する各々のＤＭＸアドレスとを例示する図である。
【００４０】
第２情報処理装置２０は、ユーザの操作（入力）によって、複数の第１照明器具と複数の第２照明器具３０とが一対一で対応するように、ＤＭＸアドレスとユニークＩＤとを紐付ける（Ｓ１５）。第２情報処理装置２０は、複数の第２照明器具３０に対して、ＤＭＸアドレスとユニークＩＤとを紐付ける際に、ＲＤＭプロトコルを用いて複数の第２照明器具３０と通信する。具体的には、図５Ｂで示すように、第２情報処理装置２０に接続される表示部２３には、点灯情報に紐付けられた複数の第１照明器具に対する各々のＤＭＸアドレスと、複数の第２照明器具３０に対する各々のユニークＩＤとからなる設定画面が表示される。例えば、ユーザが表示部２３のユニークＩＤ「ａｂｃ２」を選択すると、実際の第２照明器具３０が点滅することで、ユーザは、ユニークＩＤ「ａｂｃ２」が示す点滅した第２照明器具３０の位置を認識する。ユーザは、表示部２３の設定画面に示される、点滅した第２照明器具３０の位置と同一の位置の第１照明器具（ここでは第１照明器具３）に対して、ユニークＩＤ「ａｂｃ２」をドラッグアンドドロップする。こうして、図５Ａの右図に示すように、第２情報処理装置２０は、第１照明器具３のＤＭＸアドレス３とユニークＩＤ「ａｂｃ２」とを紐付ける。ユーザは、この動作を第１照明器具の台数分だけ行う。図５Ｂは、実施の形態に係り、第２情報処理装置２０の表示部２３の設定画面を例示する模式図である。
【００４１】
第２情報処理装置２０は、点灯情報と複数のユニークＩＤとによって、複数のＤＭＸアドレスと複数のユニークＩＤとを一対一で紐付けた設定情報を生成し、生成した設定情報を第２操作卓１０に伝送する。そして、第２操作卓１０は、設定情報を取得する。こうして、第２操作卓１０は、設定情報に基づいて、ＤＭＸプロトコルを用いて複数の第２照明器具３０と通信し、複数の第２照明器具３０を所定の点灯態様で点灯させる制御を行う。つまり、設定情報は、第２操作卓１０が第１情報処理装置５０で設定した点灯態様で複数の第２照明器具３０を点灯させることができる情報である。
【００４２】
このように、照明システム１では、ユーザが、設定情報に基づいて第２調光卓１０を操作すると、複数の第２照明器具３０は、図３のような複数の点灯態様に示される点灯シーンで点灯を開始する。例えば、複数の第２照明器具３０は、点灯態様１でＸ秒間動作し、その後点灯態様２でＹ秒間動作する。
【００４３】
［作用効果］
次に、本実施の形態における照明システム１及び照明システム１の設定方法の作用効果について説明する。
【００４４】
上述したように、本実施の形態に係る照明システム１は、仮想の複数の第１照明器具を配置し、複数の第１照明器具の点灯態様を仮想的に模擬し、複数の第１照明器具の点灯態様を示す点灯情報と、点灯情報に紐付けられ、複数の第１照明器具を特定するＤＭＸアドレスとを生成する第１情報処理装置５０の情報を利用する照明システム１であって、現実の施設内に配置される複数の第２照明器具３０と、複数の第２照明器具３０を所定の点灯態様で点灯させる制御を行う第２操作卓１０とを備える。そして、第２操作卓１０は、点灯情報及びＤＭＸアドレスと、複数の第２照明器具３０を特定するユニークＩＤとを取得し、さらに、ＤＭＸアドレスと、ユニークＩＤとが紐付けられた設定情報を取得する。
【００４５】
この照明システム１では、第２操作卓１０は、複数の第１照明器具の点灯態様を仮想的に模擬した点灯情報及びＤＭＸアドレスとユニークＩＤとを取得して、ＤＭＸアドレスとユニークＩＤとが紐付けられた設定情報を取得することができる。したがって、この照明システム１では、複数の第２照明器具３０の点灯態様の設定を簡易に行うことができる。
【００４６】
また、本実施の形態に係る照明システム１の設定方法は、仮想の複数の第１照明器具を配置し、複数の第１照明器具の点灯態様を仮想的に模擬し、複数の第１照明器具の点灯態様を示す点灯情報と、点灯情報に紐付けられ、複数の第１照明器具を特定するＤＭＸアドレスとを生成する第１情報処理装置５０の情報を利用することと、現実の施設内に配置される複数の第２照明器具３０を所定の点灯態様で点灯させる制御を行うことと、点灯情報及びＤＭＸアドレスと、複数の第２照明器具３０を特定するユニークＩＤとを取得することと、さらに、ＤＭＸアドレスと、ユニークＩＤとが紐付けられた設定情報を取得することとを含む。
【００４７】
この方法においても上述と同様の作用効果を奏する。
【００４８】
また、本実施の形態に係る照明システム１は、さらに第１情報処理装置５０をさらに備えていてもよい。
【００４９】
この照明システム１においても上述と同様の作用効果を奏する。
【００５０】
また、本実施の形態に係る照明システム１において、設定情報は、複数の第１照明器具と複数の第２照明器具３０とが一対一で対応するように、ユーザの入力によってＤＭＸアドレスとユニークＩＤとが紐付けられる。
【００５１】
この構成によれば、ユーザがＤＭＸアドレスとユニークＩＤとを紐付けるため、予め設定した点灯情報に示される点灯態様と同様の点灯態様で、複数の第２照明器具３０を点灯させることができる。また、現実の施設では、ＤＭＸアドレスとユニークＩＤとを紐付けるだけであるため、設定作業をするユーザの作業負担が増大し難い。
【００５２】
また、本実施の形態に係る照明システム１には、さらに、第２情報処理装置２０が備えられている。また、複数の第２照明器具３０には、設定情報を生成する第２情報処理装置２０が接続される。また、第２情報処理装置２０は、複数の第２照明器具３０に対して、ＤＭＸアドレスとユニークＩＤとが紐付けられる際に、ＲＤＭプロトコルを用いて複数の第２照明器具３０と通信する。そして、第２操作卓１０は、設定情報に基づいて複数の第２照明器具３０を点灯させる制御を行う際に、ＤＭＸプロトコルを用いて複数の第２照明器具３０と通信する。
【００５３】
この構成によれば、ＲＤＭプロトコル及びＤＭＸプロトコルは世界的に用いられている通信プロトコルであるため、施設において第２照明器具３０が様々な種類の器具であっても、第２操作卓１０は、様々な種類の第２照明器具３０を点灯制御するための通信を行うことができる。
【００５４】
また、本実施の形態に係る照明システム１において、第２操作卓１０は、複数の第１照明器具が仮想的な点灯態様で点灯するように、設定情報に基づいて複数の第２照明器具３０を点灯させる制御を行う。
【００５５】
この構成によれば、第２操作卓１０は、設定情報に基づいて複数の第２照明器具３０を所望の点灯態様で点灯させることができる。
【００５６】
また、本実施の形態に係る照明システム１において、照明システム１には、表示部２３が接続される。そして、表示部２３は、ＤＭＸアドレスと、ユニークＩＤとを紐付けるための設定画像を表示する。
【００５７】
この構成によれば、ユーザは、表示部２３に表示された設定画像を見ながら、ＤＭＸアドレスとユニークＩＤとの紐付けを簡易に行うことができる。
【００５８】
（その他）
以上、本開示について、実施の形態に基づいて説明したが、本開示は、上記照明システム及び照明システムの設定方法に限定されるものではない。
【００５９】
例えば、上記各実施の形態では、照明システムは複数の第２照明器具３０と第２操作卓１０とを備えるが、さらに、第１情報処理装置５０及び第２情報処理装置２０のうちの少なくとも一方を備えていてもよい。上記各実施の形態に係る照明システムは、画面に仮想の複数の第１照明器具を配置し、複数の第１照明器具の点灯態様を仮想的に模擬する第１情報処理装置５０と、現実の施設内に配置される複数の第２照明器具３０と、複数の第２照明器具３０を所定の点灯態様で点灯させる制御を行う第２操作卓１０とを備える。第１情報処理装置５０は、複数の第１照明器具の点灯態様を示す点灯情報と、点灯情報に紐付けられ、複数の第１照明器具を特定するＤＭＸアドレスとを取得する。そして、第２操作卓１０は、点灯情報及びＤＭＸアドレスを第１情報処理装置５０から取得し、複数の第２照明器具３０を特定するユニークＩＤを第２照明器具３０から取得し、さらに、ＤＭＸアドレスと、ユニークＩＤとが紐付けられた設定情報を当該第２操作卓１０に対する操作に従って取得する。
【００６０】
また、本実施の形態に係る照明システムにおいて、さらに、複数の第２照明器具３０には、設定情報を生成する第２情報処理装置２０が接続される。また、第２情報処理装置２０は、複数の第２照明器具３０に対して、ＤＭＸアドレスとユニークＩＤとが紐付けられる際に、ＲＤＭプロトコルを用いて複数の第２照明器具３０と通信する。そして、第２操作卓１０は、設定情報に基づいて複数の第２照明器具３０を点灯させる制御を行う際に、ＤＭＸプロトコルを用いて複数の第２照明器具３０と通信する。
【００６１】
また、本実施の形態に係る照明システムにおいて、さらに、第２情報処理装置２０を備える。
【００６２】
これらの照明システムにおいても上述の実施の形態と同様の作用効果を奏する。
【００６３】
また、上記各実施の形態に係る照明システムにおいて、第２操作卓と第２情報処理装置とは別の装置であるが、第２操作卓と第２情報処理装置とが一体的な装置であってもよい。
【００６４】
また、上記各実施の形態に係る照明システム及び照明システムの設定方法を実現するプログラムとして実現されてもよく、照明システム及び照明システムの設定方法の集積回路であるＬＳＩとして実現されてもよい。集積回路は個別に１チップ化されてもよいし、一部又は全てを含むように１チップ化されてもよい。
【００６５】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００６６】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００６７】
また、上記で用いた数字は、全て本開示を具体的に説明するために例示するものであり、本開示の実施の形態は例示された数字に制限されない。
【００６８】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００６９】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００７０】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【００７１】
１  照明システム
１ａ、２ａ、３ａ、４ａ  第１照明器具
１０  第２操作卓
２０  第２情報処理装置
２３  表示部
３０  第２照明器具
５０  第１情報処理装置
【図１】
2020047508.tif 000003
【図２】
2020047508.tif 000004
【図３】
2020047508.tif 000005
【図４】
2020047508.tif 000006
【図５Ａ】
2020047508.tif 000007
【図５Ｂ】
2020047508.tif 000008